(57)【要約】【課題】外管、内管の外側に配設された導電体収納部の強度・耐久性を確保し、かつ小型・軽量で生産性が高い導電伸縮延長管を提供する。【解決手段】互いに軸方向に摺動する外管３０及び内管３１と、前記外管３０及び前記内管３１の外側で互いに摺動自在でかつ導電体３９を収納する外管側収納部３７及び内管側収納部３８とからなり、前記外管側収納部３７を、前記外管３０と前記外管３０の外側を覆う蓋体３６とで構成し、前記外管３０と前記蓋体３６を前記外管３０の軸方向に直角なＸ、Ｙの両方向から拘束する係止部４８で結合したもので、特殊な溶着等の２次加工を施さなくても外管３０と蓋体３６の結合を一体化できて強度・耐久性を確保できる。【選択図】図５
2005137553.tif 000002
【特許請求の範囲】
【請求項１】
互いに軸方向に摺動する外管及び内管と、前記外管及び前記内管の外側で互いに摺動自在でかつ導電体を収納する外管側収納部及び内管側収納部とからなり、前記外管側収納部を、前記外管と前記外管の外側を覆う蓋体とで構成し、前記外管と前記蓋体とを前記外管の軸方向に直角なＸ、Ｙの両方向から拘束する係止部で結合した導電伸縮延長管。
【請求項２】
互いに軸方向に摺動する外管及び内管と、前記外管及び前記内管の外側で互いに摺動自在でかつ導電体を収納する外管側収納部及び内管側収納部とからなり、前記外管側収納部を、前記外管と前記外管の外側を覆う蓋体とで構成し、前記外管に前記蓋体の下端の両面を覆う壁面を設けた導電伸縮延長管。
【請求項３】
互いに軸方向に摺動する外管及び内管と、前記外管及び前記内管の外側で互いに摺動自在でかつ導電体を収納する外管側収納部及び内管側収納部とからなり、前記外管側収納部を、前記外管と前記外管の外側を覆う蓋体とで構成し、前記蓋体の一端を、前記外管の内管側に設けた拡管部に、前記外管の軸方向から挿入して嵌合させるようにした導電伸縮延長管。
【請求項４】
互いに軸方向に摺動する外管及び内管と、前記外管及び前記内管の外側で互いに摺動自在でかつ導電体を収納する外管側収納部及び内管側収納部とからなり、前記外管側収納部を、前記外管の外側に一体的に固定し筒体とした導電伸縮延長管。
【請求項５】
互いに軸方向に摺動する外管及び内管と、前記外管及び前記内管の外側で互いに摺動自在でかつ導電体を収納する外管側収納部及び内管側収納部と、前記外管の前記内管側に設けた拡管部に装着される保持体とからなり、一端を前記拡管部に形成した孔部に挿入し、他端を前記保持体に形成した凹部に嵌合させ、前記保持体を前記外管に一体的に結合させる係止体を設けた導電伸縮延長管。
【請求項６】
互いに軸方向に摺動する外管及び内管と、前記外管及び前記内管の外側で互いに摺動自在でかつ導電体を収納する外管側収納部及び内管側収納部と、前記外管の前記内管側に設けた拡管部に装着される保持体と、操作部とからなり、前記内管の下面に形成した係止凹部と係合する係止凸部を前記保持体の下面に設け、前記保持体の上面に前記操作部を設けた導電伸縮延長管。
【請求項７】
互いに軸方向に摺動する外管及び内管と、前記外管及び前記内管の外側で互いに摺動自在でかつ導電体を収納する外管側収納部及び内管側収納部と、前記外管の前記内管側に設けた拡管部に装着される保持体とからなり、前記内管を前記外管に挿入した状態で前記内管側収納部が前記保持体に挿入する範囲に、前記内管と前記内管側収納部とを一体化する結合部を設けた導電伸縮延長管。
【請求項８】
互いに軸方向に摺動する外管及び内管と、前記外管及び前記内管の外側で互いに摺動自在でかつ導電体を収納する外管側収納部及び内管側収納部とからなり、前記内管の断面形状を左右両側に凸部を有する略凹状に形成し、前記凹部に前記内管側収納部を配した導電伸縮延長管。
【請求項９】
内管側収納部は、内管側に導体の全体もしくは一部を露出させて保持させた請求項１〜８のいずれか１項に記載の導電伸縮延長管。
【請求項１０】
少なくとも外管をポリプロピレン樹脂で形成した請求項１〜９のいずれか１項に記載の導電伸縮延長管。
【請求項１１】
電動送風機を内蔵する掃除機本体と、前記電動送風機の吸気側に一端が連通する請求項１〜１０のいずれか１項に記載の導電伸縮延長管と、前記導電伸縮延長管の他端に接続され駆動モータにより駆動される回転ブラシを内蔵した吸込具とから構成される電気掃除機。
【発明の詳細な説明】
【技術分野】
【０００１】
本発明は、導体を内蔵した導電伸縮延長管並びにそれを用いた電気掃除機に関するものである。
【背景技術】
【０００２】
従来この種の延長管として、導電体収納部を吸気通路から分離して外管、内管の外側に配置したものがあった。
【０００３】
以下、図１１、１２を用いて従来の導電式伸縮延長管について述べる。
【０００４】
図に示すように、導電伸縮延長管(以下「延長菅１１０」という)は、互いに軸方向に摺動する内管１００と外管１０１と、各内管１００、外管１０１の外側で互いに摺動自在に設けられ接続端子Ａ１０２と接続端子Ｂ１０３の間をつないだ導電体１０４を収納する内管側収納部１０５と外管側収納部１０６とから構成されている。そして外管側収納部１０６は外管１０１と外管１０１の外側に超音波で溶着された蓋体１０７で構成されていた（例えば、特許文献１参照）。
【特許文献１】特開２０００−０３７３３０号公報
【発明の開示】
【発明が解決しようとする課題】
【０００５】
しかしながら前記従来の延長管１１０では、導電体１０４を収納する内管側収納部１０５、外管側収納部１０６が内管１００、外管１０１の外側に設けられているので、使用時に外力が直接内管側収納部１０５、外管側収納部１０６に作用する。そのため、内管側収納部１０５、外管側収納部１０６の２部品をを一体化するために超音波溶着等の２次加工を施したり、それぞれの部品の肉厚を増やすなどして強度、耐久性を高める必要があった。しかしこれらは、生産性を高めてコスト低減をはかるうえでの課題、あるいは軽量化を図る上で課題となっていた。
【０００６】
本発明は前記従来の課題を解決するもので、導電体を収納する収納部を外管、内管の外側に配設してもそれらの強度・耐久性を確保すると共に、生産性が高く、安価で軽量化された導電伸縮延長菅並びにそれを用いた電気掃除機を提供することを目的とする。
【課題を解決するための手段】
【０００７】
前記従来の課題を解決するために、本発明の導電伸縮延長管は、互いに軸方向に摺動する外管及び内管と、前記外管及び前記内管の外側で互いに摺動自在でかつ導電体を収納する外管側収納部及び内管側収納部とからなり、前記外管側収納部を、前記外管と前記外管の外側を覆う蓋体とで構成し、前記外管と前記蓋体とを前記外管の軸方向に直角なＸ、Ｙの両方向から拘束する係止部で結合したもので、特殊な溶着等の２次加工を施さなくても外管と蓋体の結合を一体化できて強度・耐久性を確保できるので、高価な設備を必要とせずに組み立てができ生産性を高めることができる。
【０００８】
また、本発明の導電伸縮延長管は、互いに軸方向に摺動する外管及び内管と、前記外管及び前記内管の外側で互いに摺動自在でかつ導電体を収納する外管側収納部及び内管側収納部とからなり、前記外管側収納部を、前記外管と前記外管の外側を覆う蓋体とで構成し、前記外管に前記蓋体の下端の両面を覆う壁面を設けたもので、使用中に外管側収納部に働く外力を蓋体でなく壁面で受けるので、強度・耐久性を向上させることができるとともに、蓋体の肉厚を薄くして軽量化をすることができる。
【０００９】
また、本発明の導電伸縮延長管は、互いに軸方向に摺動する外管及び内管と、前記外管及び前記内管の外側で互いに摺動自在でかつ導電体を収納する外管側収納部及び内管側収納部とからなり、前記外管側収納部を、前記外管と前記外管の外側を覆う蓋体とで構成し、前記蓋体の一端を、前記外管の内管側に設けた拡管部に、前記外管の軸方向から挿入して嵌合させるようにしたもので、蓋体の端部における外管との結合を一体的にして強度・耐久性を向上させると同時に、成形による長さの変動を吸収することができ生産性を高めることができる。
【００１０】
また、本発明の導電伸縮延長管は、互いに軸方向に摺動する外管及び内管と、前記外管及び前記内管の外側で互いに摺動自在でかつ導電体を収納する外管側収納部及び内管側収納部とからなり、前記外管側収納部を、前記外管の外側に一体的に固定し筒体としたもので、筒体とすることによって剛性が高まり外管側収納部の強度・耐久性が向上できるものである。
【００１１】
また、本発明の導電伸縮延長管は、互いに軸方向に摺動する外管及び内管と、前記外管及び前記内管の外側で互いに摺動自在でかつ導電体を収納する外管側収納部及び内管側収納部と、前記外管の前記内管側に設けた拡管部に装着される保持体とからなり、一端を前記拡管部に形成した孔部に挿入し、他端を前記保持体に形成した凹部に嵌合させ、前記保持体を前記外管に一体的に結合させる係止体を設けたもので、保持体を特殊な溶着等の設備を必要とする２次加工が不用で、簡単に固定できるので生産性を高めることができるものである。
【００１２】
また、本発明の導電伸縮延長管は、互いに軸方向に摺動する外管及び内管と、前記外管及び前記内管の外側で互いに摺動自在でかつ導電体を収納する外管側収納部及び内管側収納部と、前記外管の前記内管側に設けた拡管部に装着される保持体と、操作部とからなり、前記内管の下面に形成した係止凹部と係合する係止凸部を前記保持体の下面に設け、前記保持体の上面に前記操作部を設けたもので、操作部が上面にあるので使用性が良いと同時に、係止凹部を内管の下面に設けることで、上部に配された導電体収納部に係止時の負荷が作用しないので、強度・耐久性に対する信頼性を向上できる。
【００１３】
また、本発明の導電伸縮延長管は、互いに軸方向に摺動する外管及び内管と、前記外管及び前記内管の外側で互いに摺動自在でかつ導電体を収納する外管側収納部及び内管側収納部と、前記外管の前記内管側に設けた拡管部に装着される保持体とからなり、前記内管を前記外管に挿入した状態で前記内管側収納部が前記保持体に挿入する範囲に、前記内管と前記内管側収納部とを一体化する結合部を設けたもので、内管側収納部に内管から離す方向に作用する外力に対して、強度・耐久性を向上できる。
【００１４】
また、本発明の導電伸縮延長管は、互いに軸方向に摺動する外管及び内管と、前記外管及び前記内管の外側で互いに摺動自在でかつ導電体を収納する外管側収納部及び内管側収納部とからなり、前記内管の断面形状を左右両側に凸部を有する略凹状に形成し、前記凹部に前記内管側収納部を配したもので、使用時に内管側収納部に作用する外力を内管の外郭で受けることができるので強度・耐久性を向上できる。
【００１５】
また、本発明の電気掃除機は、電動送風機を内蔵する掃除機本体と、前記電動送風機の吸気側に一端が連通する請求項１〜１０のいずれか１項に記載の導電伸縮延長管と、前記導電伸縮延長管の他端に接続され駆動モータにより駆動される回転ブラシを内蔵した吸込具とから構成されるもので、強度・耐久性に優れ、小型軽量で使用性が良くかつ生産性の高い導電伸縮延長管を備えた電気掃除機を得ることができる。
【発明の効果】
【００１６】
本発明の導電伸縮延長管は、導電体収納部を外管、内管の外側に構成しながら、嵌合結合だけで導電体収納部の強度・耐久性を向上させると共に、生産性を高めることができるものである。
【発明を実施するための最良の形態】
【００１７】
第１の発明は、互いに軸方向に摺動する外管及び内管と、前記外管及び前記内管の外側で互いに摺動自在でかつ導電体を収納する外管側収納部及び内管側収納部とからなり、前記外管側収納部を、前記外管と前記外管の外側を覆う蓋体とで構成し、前記外管と前記蓋体とを前記外管の軸方向に直角なＸ、Ｙの両方向から拘束する係止部で結合したもので、特殊な溶着等の２次加工を施さなくても外管と蓋体の結合を一体化できて強度・耐久性を確保できるので、高価な設備を必要とせずに組み立てができ生産性を高めることができる。
【００１８】
第２の発明は、互いに軸方向に摺動する外管及び内管と、前記外管及び前記内管の外側で互いに摺動自在でかつ導電体を収納する外管側収納部及び内管側収納部とからなり、前記外管側収納部を、前記外管と前記外管の外側を覆う蓋体とで構成し、前記外管に前記蓋体の下端の両面を覆う壁面を設けたもので、使用中に外管側収納部に働く外力を蓋体でなく壁面で受けるので、強度・耐久性を向上させることができるとともに、蓋体の肉厚を薄くして軽量化をすることができる。
【００１９】
第３の発明は、互いに軸方向に摺動する外管及び内管と、前記外管及び前記内管の外側で互いに摺動自在でかつ導電体を収納する外管側収納部及び内管側収納部とからなり、前記外管側収納部を、前記外管と前記外管の外側を覆う蓋体とで構成し、前記蓋体の一端を、前記外管の内管側に設けた拡管部に、前記外管の軸方向から挿入して嵌合させるようにしたもので、蓋体の端部における外管との結合を一体的にして強度・耐久性を向上させると同時に、成形による長さの変動を吸収することができるので生産性を高めることができる。
【００２０】
第４の発明は、互いに軸方向に摺動する外管及び内管と、前記外管及び前記内管の外側で互いに摺動自在でかつ導電体を収納する外管側収納部及び内管側収納部とからなり、前記外管側収納部を、前記外管の外側に一体的に固定し筒体としたもので、筒体とすることによって剛性が高まり外管側収納部の強度・耐久性が向上できるものである。
【００２１】
第５の発明は、互いに軸方向に摺動する外管及び内管と、前記外管及び前記内管の外側で互いに摺動自在でかつ導電体を収納する外管側収納部及び内管側収納部と、前記外管の前記内管側に設けた拡管部に装着される保持体とからなり、一端を前記拡管部に形成した孔部に挿入し、他端を前記保持体に形成した凹部に嵌合させ、前記保持体を前記外管に一体的に結合させる係止体を設けたもので、保持体を特殊な溶着等の設備を必要とする２次加工が不要で簡単に固定できるので生産性を高めることができるものである。
【００２２】
第６の発明は、互いに軸方向に摺動する外管及び内管と、前記外管及び前記内管の外側で互いに摺動自在でかつ導電体を収納する外管側収納部及び内管側収納部と、前記外管の前記内管側に設けた拡管部に装着される保持体と、操作部とからなり、前記内管の下面に形成した係止凹部と係合する係止凸部を前記保持体の下面に設け、前記保持体の上面に操作部を設けて形成したもので、操作部が上面にあるので使用性が良いと同時に係止凹部を内管の下面に設けることで、上部に設けた導電体収納部に係止時の負荷が作用しないので、強度・耐久性に対する信頼性を向上できる。
【００２３】
第７の発明は、互いに軸方向に摺動する外管及び内管と、前記外管及び前記内管の外側で互いに摺動自在でかつ導電体を収納する外管側収納部及び内管側収納部と、前記外管の前記内管側に設けた拡管部に装着される保持体とからなり、前記内管を前記外管に挿入した状態で、前記内管側収納部が前記保持体に挿入する範囲に、前記内管と前記内管側収納部を一体化する結合部を設けたもので、内管側収納部に内管から離す方向に作用する外力に対して、強度・耐久性を向上できる。
【００２４】
第８の発明は、互いに軸方向に摺動する外管及び内管と、前記外管及び前記内管の外側で互いに摺動自在でかつ導電体を収納する外管側収納部及び内管側収納部とからなり、前記内管の断面形状を左右両側に凸部を有する略凹状に形成し、前記凹部に前記内管側収納部を配したもので、使用時に内管側収納部に作用する外力を内管の外郭で受けることができるので強度・耐久性を向上できる。
【００２５】
第９の発明は、特に、第１〜８のいずれか１つの発明の内管側収納部は、内管側に導体の全体もしくは一部を露出させて保持させたもので、部品点数が削減でき、それにより生産性をたかめコスト低減ができるものである。
【００２６】
第１０の発明は、特に、第１〜９のいずれか１つの発明の少なくとも外管をポリプロピレン樹脂で形成したもので、ＡＢＳ樹脂に比較して軽量化できまた成形流動性が良いため生産性を高めることができる。
【００２７】
第１１の発明は、電動送風機を内蔵する掃除機本体と、前記電動送風機の吸気側に一端が連通する請求項１〜１０のいずれか１項に記載の導電伸縮延長管と、前記導電伸縮延長管の他端に接続され駆動モータにより駆動される回転ブラシを内蔵した吸込具からなるもので、強度・耐久性に優れ、小型軽量で使用性が良くかつ生産性の高い導電伸縮延長管を備えた電気掃除機を得ることができる。
【００２８】
以下、本発明の実施の形態について、図面を参照しながら説明する。なおこの実施の形態によって本発明が限定されるものではない。
【００２９】
（実施の形態１）
図１は、電気掃除機全体を示すもので、２０は、電動送風機（図示せず）、集塵室（図示せず）を有する掃除機本体で、前記掃除機本体２０の接続口２１に、ホース体２４の一端に設けた接続管２２が接続される。ホース体２４の他端側には握り管２３が設けられ、その握り管２３に接続された導電伸縮延長管２５の他端側に駆動モータ（図示せず）により駆動されて塵埃を掻き上げる回転ブラシ（図示せず）を内蔵した吸込具２６が接続されている。
【００３０】
次に本発明の導電伸縮延長管２５について図２〜図５に基づいて説明する。
【００３１】
導電伸縮延長管２５は互いに軸方向に摺動する外管３０及び内管３１からなり、外管３０はホース体２４との接続部Ａ３２を備え吸気通路３３を有する径大のパイプ体からなり、内管３１は吸込具２６との接続部Ｂ３４を備え、吸気通路３５を有する径小のパイプ体から構成されている。
【００３２】
外管３０の上部には、蓋体３６が一体的に取り付けられ、前記外管３０と蓋体３６の間の空間で外管側収納部３７を構成し、内管３１の上部には内管側収納部３８が吸気通路３５と空間をおいて取り付けてある。
【００３３】
導電体３９は、外管３０の接続部Ａ３２の上部で蓋体３６と挟持した接続端子Ａ４０と内管３１の上部に配し上側カバー４１との間に固定した接続端子Ｂ４２の間を、蓋体３６に取り付けたコネクターＡ４３と内管側収納部３８の後端に取り付けたコネクターＢ４４の間は可とう性を有するフラットケーブル４５で、その他の部分をリード線４６、４７で各々つないで構成し、外管側収納部３７と内管側収納部３８に収納されている。
【００３４】
外管３０と蓋体３６には互いに係合する複数の係止部４８が形成され、その係止部４８は、外管３０に形成した引っ掛け凹部４９と蓋体３６の両側壁面下端に形成した係止爪部５０とからなり、引っ掛け凹部４９の外管３０の軸（矢印Ｐ）方向の長さは係止爪部５０の幅より長くして、外管３０の引っ掛け凹部４９の一端から係止爪部５０の背面を隙間無く押さえる係止リブ５２が設けてある。
【００３５】
外管３０の上面には蓋体３６の両側壁面下端の両面を覆うように左右外側に下端を覆って凸形状の壁面５４を形成してあり、外管３０の接続部Ａ３２との反対側に形成した拡管部５５の開口５６に蓋体３６の嵌合部５７が挿入され嵌合してある。
【００３６】
次に上記構成による外管側収納部３７の動作、作用について説明する。
【００３７】
蓋体３６は、係止爪部５０を外管３０の係止リブ５２のない位置で弾性変形させて引っ掛け凹部４９に係合させた後、係止爪部５０の背面が係止リブ５２に近接して当接する位置まで軸方向にスライド変位させ、蓋体３６の嵌合部５７を拡管部５５に挿入させて一体化した後、接続部Ａ３２側をタッピンネジ(図示せず)で外管３０に固定するものである。
【００３８】
この組み立て動作により、蓋体３６に設けた係止爪部５０は外管３０の軸方向に直角なＸ、Ｙ両方向で互いに両側から拘束されることになる。すなわちＸ方向では引っ掛け凹部４９の垂直平面４９ａと係止リブ５２との間で、Ｙ方向では引っ掛け凹部４９の上下水平面で挟持されるので、捩りや踏みつけ等の外力に対して係止爪部５０が変形により外管３０から外れることが無く蓋体３６と外管３０を確実に一体化できるものである。
【００３９】
また、使用中に机の桟などに蓋体３６が衝突しても、外力は壁面５４に先に加わり蓋体３６の下端部近傍には外力が加わらないので、蓋体３６の下端部が変形し隙間が生じたり、外管３０との位置がずれたり、あるいは亀裂が発生するなどがなくなり強度上の信頼性を高めることができる。
【００４０】
さらに、拡管部５５の開口５６に蓋体３６の嵌合部５７が挿入され嵌合してあるので、端部における蓋体３６の開き変形を防ぎ一体化を確実にするとともに、端面が嵌合部分に隠れるので蓋体３６の長さが変化しても外観に変化が現れることがないので成形品の寸法バラツキを吸収でき生産性を高めることができる。
【００４１】
（実施の形態２）
図６は、本発明の第２の実施の形態における導電伸縮延長管の断面図である。なお、上記実施の形態と同一部分については同一符号を付してその説明を省略する。
【００４２】
図６において、蓋体３６の下側に別部品の底板５８を超音波溶着などで一体的に結合して筒体６０が形成される。そして第１の実施の形態と同様に筒体６０と外管３０を係止部４８で係合させている。本実施の形態では底板５８により筒体６０とした部分を外管側収納部３７としているので、蓋体３６の係止部４８での係合力が高まるのみでなく軸方向の全域に渡って剛性を高めることができるので強度上の信頼性を高めることができるものである。
【００４３】
また図７〜図９に示すように、拡管部５５には保持体６２が装着してあり、拡管部５５の下面側に形成した孔部６４に同孔部６４とほぼ同一平面形状を有する固定部６５を挿入し他端の弾性部６６を保持体６２に形成した凹部６７に挿入・嵌合させた係止体６８により、保持体６２を外管３０に一体的に結合させている。さらに保持体６２の上面に配した操作部７０と下面に配した内管３１の下面に形成した係止凹部７１と係合する係止凸部７２を、保持体６２と外管３０の間を通る連結部７３で一体化した押し釦７４を、保持体６２に、バネ体７５で上方に附勢して取り付けてある。
【００４４】
次に上記構成による動作、作用について説明する。
【００４５】
係止体６８は保持体６２に作用する軸方向の外力を断面Ｓで圧縮方向に受けるので、小型・軽量でも大きな抗力を生じさせることができ、延長管本体の小型・軽量化が図れるものである。そして組み立て、分解性に優れているので生産性をたかめ、環境への影響も小さいものとなる。さらに孔部６４を延長管本体の下面に形成してあるので外観上美観を損なうことがないものである。
【００４６】
また、押し釦７４の操作部７０は上方にあり、目で確認できるので操作がわかり易く、容易に親指で押すことができるので大きな力を加えやすいので押し動作がしやすく使い勝手が良い。又押し釦７４は１部品で構成しているので部品点数を削減できコスト低減をはかることができるものである。
【００４７】
さらに、図２、７、９、１０に示すように、内管側収納部３８は内管３１と空間を隔てて配設してあり、内管３１の先端部に形成した吸込具２６との接続部Ｂ３４の上部に配し、バネ体７６で吸込具２７との係合側に附勢された尾錠７７を挟持する上側カバー４１と下側カバー８０とで構成している。上側カバー４１と下側カバー８０は超音波溶着で一体化してあり内部にコネクターＢ４４、リード線４７を保持してある。そして下側カバー８０の下面には、内管３１を外管３０に挿入した状態で内管側収納部３８が保持体６２に挿入する範囲Ｌ（図２）に断面逆Ｔ字型の結合リブ８１が植立してある。一方内管３１には前記結合リブ８１と嵌り合うＵ字状の突起８２が形成してあり、突起８２に結合リブ８１を挿入することで内管側収納部３８を内管３１に一体化させる結合部８３を構成している。又図１０に示すように、内管３１は断面を略凹形状にして左右両側に凸部８４を形成した凹部８５を設け、内管側収納部３８を前記凹部８５に収めた構成にしている。
【００４８】
次に上記構成による動作、作用について説明する。
【００４９】
内管側収納部３８は、Ｌの範囲では内管３１と一体化されており、内管３１を外管３０から最も引き出した状態で内管３１と分離される範囲を最小にできる。そして内管側収納部３８を内管３１から上や横方向に引き離そうとする外力に対する剛性を高めることができる。さらに凸部８４の上端を内管側収納部３８の下端面より突出させることで、導電体３９までの絶縁上の沿面距離を大きくできるとともに導電体３９に外力が作用しにくくできるので安全性を高めることができる。又、内管側収納部３８の外側に外力が直接作用しないので強度上の信頼性を高めることができる。さらに凸部８４は外管３０に対する内管３１の回り止め機能も果たしている。
【００５０】
また、図６に示すように、内管側収納部３８は上側カバー４１のみで構成し、コネクターＢ４４は爪嵌合、リード線４７は溝８６に形成した爪８７で各々上側カバー４１に保持させることにより、下側カバー８０が廃止でき、部品点数の削減、溶着工程の廃止でコスト削減を実現することもできる。
【００５１】
そして、上記実施の形態では、外管側収納部３７を構成する外管３０及び蓋体３６を超音波溶着などによらず一体化できるので、外管３０及び蓋体３６を溶着工法に不向きなポリプロピレン樹脂をインジェクション成型して構成でき延長管本体の軽量化を実現できるものである。
【産業上の利用可能性】
【００５２】
以上のように、本発明にかかる導電伸縮延長管及び電気掃除機は、導電体収納部を外管、内管の外側に構成しながら、簡単な嵌合結合で導電体収納部の強度・耐久性を向上させ、生産性を高めることが可能となるので、導電体を内蔵すると共に伸縮自在で気体、流体、粒体等を移送する管体並びにそれを用いた機器に広く適用できるものである。
【図面の簡単な説明】
【００５３】
【図１】本発明の実施の形態１における導電伸縮延長管を備えた電気掃除機の全体構成図
【図２】（ａ）同導電伸縮延長管の最短時の全体構成を示す断面図（ｂ）同導電伸縮延長管の最長時の全体構成を示す断面図
【図３】同導電伸縮延長管の最短時の全体構成を示す平面図
【図４】同導電伸縮延長管の外管と蓋体の斜視図
【図５】図２のＡ−Ａ断面図と部分拡大図
【図６】本発明の実施の形態２における導電伸縮延長管の図２のＡ−Ａ断面図
【図７】同導電伸縮延長管の拡管部の構成を示す断面図
【図８】図７のＢ−Ｂ断面図
【図９】図７のＣ−Ｃ断面図
【図１０】図２のＤ−Ｄ断面図
【図１１】従来の導電伸縮延長管の全体構成を示す側面図
【図１２】図１１のＥ−Ｅ断面図
【符号の説明】
【００５４】
２０  掃除機本体
２５  導電伸縮延長管
２６  吸込具
３０  外管
３１  内管
３６  蓋体
３７  外管側収納部
３８  内管側収納部
３９  導電体
４８  係止部
５４  壁面
５７  嵌合部
６０  筒体
６８  係止体
７４  押し釦
８３  結合部
８４  凸部
【図１】
2005137553.tif 000003
【図２】
2005137553.tif 000004
【図３】
2005137553.tif 000005
【図４】
2005137553.tif 000006
【図５】
2005137553.tif 000007
【図６】
2005137553.tif 000008
【図７】
2005137553.tif 000009
【図８】
2005137553.tif 000010
【図９】
2005137553.tif 000011
【図１０】
2005137553.tif 000012
【図１１】
2005137553.tif 000013
【図１２】
2005137553.tif 000014